(57)【要約】      （修正有）【課題】複数種類のものを準備することなく、梱包や輸送が容易となる陳列用吊具を提供する。【解決手段】上下方向に伸びた帯状の合成樹脂製のシート本体１２と、シート本体１２の前面に上下方向に所定間隔を空けて形成された吊下部１３と、シート本体１２の上端部に形成された係合部１４とを備え、シート本体１２を２つ折りにすることを可能とするとともに、シート本体１２を２つに切り離すことを可能とするスリット部１５が形成されるようにする。【選択図】図２
0003206306.tif 000002
【実用新案登録請求の範囲】
【請求項１】
上下方向に伸びた帯状の合成樹脂製のシート本体と、
前記シート本体の前面に上下方向に所定間隔を空けて形成されたＮ個の吊下部と、
前記シート本体の上端部に形成された係合部とを備え、
複数の商品を吊下げて陳列するための陳列用吊具であって、
前記シート本体を２つ折りにすることを可能とするとともに、前記シート本体を２つに切り離すことを可能とするスリット部が形成されていることを特徴とする陳列用吊具。
【請求項２】
前記Ｎ個は、１２個であり、
前記スリット部は、第６吊下部と第７吊下部との間と、第８吊下部と第９吊下部との間と、第１０吊下部と第１１吊下部との間とに形成されていることを特徴とする請求項１に記載の陳列用吊具。
【請求項３】
前記スリット部は、前記シート本体の後面から後方に突出する突出部と、
前記シート本体の前面から前記突出部に向かう切込みとを有することを特徴とする請求項１又は請求項２に記載の陳列用吊具。
【請求項４】
前記係合部は、前記シート本体の前面から前方に突出する突出前面と、
前記突出前面から後方に所定距離となる位置に形成された係合面とを有し、
前記係合面に、孔が形成されるとともに、
前記突出前面に商品説明部材が貼り付けられることを特徴とする請求項１〜請求項３のいずれか１項に記載の陳列用吊具。
【考案の詳細な説明】
【技術分野】
【０００１】
本考案は、複数の商品を吊下げて陳列するための陳列用吊具に関する。
【背景技術】
【０００２】
ピーナッツやさきいか等の酒のつまみや、靴下やハンカチやマスク等の日用品は、上端部の左右方向の中央部に円形状の引掛け孔が開設されたビニル製の袋体に袋詰めされている。そして、このような商品をコンビニエンスストアや駅の売店やスーパーマーケットやデパート等の販売店で販売するために、袋体の引掛け孔を挿通して取外し自在に吊下げられるようにした陳列用吊具が種々提案されている（例えば特許文献１参照）。
【０００３】
図６は従来の陳列用吊具を示す図であって、図６（ａ）は正面図であり図６（ｂ）は図６（ａ）に示すＣ−Ｃ線断面図である。なお、地面に水平な一方向をＸ方向（前後方向）とし、地面に水平でＸ方向と垂直な方向をＹ方向（左右方向）とし、Ｘ方向とＹ方向とに垂直な方向（上下方向）をＺ方向とする。
陳列用吊具１０１は、上下方向に伸びた帯状のシート本体１０２と、シート本体１０２の前面に形成された１２個（Ｎ個）の吊下部１０３と、シート本体１０２の上端部に形成された円形状の孔１０４とを備える。
【０００４】
シート本体１０２は、例えば幅（左右方向）が１５ｍｍ程度、長さ（上下方向）が７００〜８００ｍｍ程度、厚み（前後方向）が１ｍｍ程度の帯状体であり、ポリエチレンやポリプロピレンやポリ塩化ビニル等の弾力性が高い合成樹脂で形成されており、自由に撓ませることができる可撓性を有している。
【０００５】
吊下部１０３は、逆Ｕ字形状のスリットを有する。そして、１２個の吊下部１０３は、シート本体１０２の前面において上下方向に所定間隔（５０〜６０ｍｍ）を空けて形成されている。これにより、各吊下部１０３の逆Ｕ字形状の上端部が前方に引き出されて傾斜し、１個の袋体の引掛け孔に挿通させることで、１個の商品が着脱自在つまり取外し自在に吊下げられる。
【０００６】
このような陳列用吊具１０１によれば、孔１０４にＳ字フックやヒモ等が挿通されて販売店の壁面の支持部材等に吊下げられ、各吊下部１０３に１個の商品を引掛けて吊下げることにより、合計１２個の商品が陳列される。
【０００７】
ところで、販売店では陳列用吊具の設置スペースに応じて、例えば１２個の商品を陳列したり６個の商品を陳列したりすることがある。そのため、その設置スペースに応じて、１２個の吊下部１０３を有する陳列用吊具１０１や、６個の吊下部１０３を有する陳列用吊具１０１’を準備している。
【先行技術文献】
【特許文献】
【０００８】
【特許文献１】実用新案登録第３０００９３４号公報
【考案の概要】
【考案が解決しようとする課題】
【０００９】
しかしながら、陳列用吊具１０１を製造工場から販売店に輸送する場合において、１２個の商品を陳列するための陳列用吊具１０１を製造したときには上下方向に７００〜８００ｍｍ程度となるため、大きなサイズの箱等を使用しなければならず、梱包や輸送が容易にできないという問題点があった。また、陳列用吊具１０１にＰＯＰカード等を貼り付けることができないという問題点もあった。
そこで、本考案は、複数種類の陳列用吊具を準備することもなく、梱包や輸送が容易となる陳列用吊具を提供することを目的とする。また、ＰＯＰカード等の商品説明部材を綺麗に貼り付けることができる陳列用吊具を提供することを目的とする。
【課題を解決するための手段】
【００１０】
上記課題を解決するためになされた本考案の陳列用吊具は、上下方向に伸びた帯状の合成樹脂製のシート本体（１２）と、前記シート本体（１２）の前面に上下方向に所定間隔を空けて形成されたＮ個の吊下部（１３）と、前記シート本体（１２）の上端部に形成された係合部（１４）とを備え、複数の商品を吊下げて陳列するための陳列用吊具（１）であって、前記シート本体（１２）を２つ折りにすることを可能とするとともに、前記シート本体（１２）を２つに切り離すことを可能とするスリット部（１５）が形成されるようにしている。
【００１１】
ここで、「所定間隔」とは、設計者等によって予め決められた任意の間隔であり、例えば標準的ピッチとなる６０ｍｍである。
また、「Ｎ個」とは、設計者等によって予め決められた任意の自然数であり、例えば１２個や６個である。
【考案の効果】
【００１２】
本考案の陳列用吊具によれば、１２個（Ｎ個）の吊下部を有するような長尺のものとしても、スリット部が形成されているため、輸送時にシート本体を２つ折りにすることができる。また、販売店等のスペース上の都合で１２種類よりも少ない種類の商品を陳列するときには、スリット部で２つに切り離すことができる。
【００１３】
（他の課題を解決するための手段および効果）
また、上記考案において、前記Ｎ個は、１２個であり、前記スリット部（１５）は、第６吊下部（１３）と第７吊下部（１３）との間と、第８吊下部（１３）と第９吊下部（１３）との間と、第１０吊下部（１３）と第１１吊下部（１３）との間とに形成されているようにしてもよい。
【００１４】
本考案の陳列用吊具によれば、販売店等のスペース上の都合に応じて、１２種類の商品を陳列したり、１０種類の商品を陳列したり、８種類の商品を陳列したり、６種類の商品を陳列したりすることができる。
【００１５】
そして、上記考案において、前記スリット部（１５）は、前記シート本体（１２）の後面から後方に突出する突出部（１５ａ）と、前記シート本体（１２）の前面から前記突出部（１５ａ）に向かう切込み（１５ｂ）とを有するようにしてもよい。
本考案の陳列用吊具によれば、スリット部で２つに切り離した際に、切断面は後ろに位置するとともに、バリが出にくくなっている。
【００１６】
さらに、上記考案において、前記係合部（１４）は、前記シート本体（１２）の前面から前方に突出する突出前面（１４ａ）と、前記突出前面（１４ａ）から後方に所定距離となる位置に形成された係合面（１４ｂ）とを有し、前記係合面（１４ｂ）に、孔（１４ｃ）が形成されるとともに、前記突出前面（１４ａ）に商品説明部材が貼り付けられるようにしてもよい。
【００１７】
ここで、「商品説明部材」とは、例えば紙製の略矩形板状体であり、その前面には、吊下げられる商品の名称やシンボルや説明等が表記されたＰＯＰカード等である。
また、「所定距離」とは、設計者等によって予め決められた任意の距離であり、例えば孔にＳ字フックやヒモ等が挿通されても、突出前面に貼り付けられた商品説明部材と干渉しなくなる８ｍｍ等である。
本考案の陳列用吊具によれば、Ｓ字フックやヒモ等が挿通される係合部が立体になっているため商品説明部材等に干渉しないので、突出前面に商品説明部材を綺麗に貼ることができる。
【図面の簡単な説明】
【００１８】
【図１】本考案に係る陳列用吊具を示す図。
【図２】図１に示す陳列用吊具の斜視図。
【図３】スリット部の拡大図。
【図４】切断されたスリット部の拡大図。
【図５】係合部の拡大図。
【図６】従来の陳列用吊具を示す図。
【考案を実施するための形態】
【００１９】
以下、本考案の実施形態について図面を用いて説明する。なお、本考案は、以下に説明するような実施形態に限定されるものではなく、本考案の趣旨を逸脱しない範囲で種々の態様が含まれる。
【００２０】
図１は本考案に係る陳列用吊具を示す図であって、図１（ａ）は正面図であり図１（ｂ）は側面図である。また、図２は、図１に示す陳列用吊具の斜視図であり、図５は、図２に示すＡ部分の拡大図である。なお、地面に水平な一方向をＸ方向（前後方向）とし、地面に水平でＸ方向と垂直な方向をＹ方向（左右方向）とし、Ｘ方向とＹ方向とに垂直な方向（上下方向）をＺ方向とする。
陳列用吊具（折曲げフックストリップ）１は、上下方向に伸びた帯状のシート本体１２と、シート本体１２の前面に形成された１２個（Ｎ個）のフック部（吊下部）１３と、シート本体１２の上端部に形成された係合部１４と、シート本体１２に形成された３個のスリット部１５と、シート本体１２に形成された円形状の４個の前後連結孔１６とを備える。
【００２１】
シート本体１２は、例えば幅（左右方向）が１９ｍｍ程度、長さ（上下方向）が７６０ｍｍ程度、厚み（前後方向）が２．５ｍｍ程度の帯状体であり、ポリエチレンやポリプロピレンやポリ塩化ビニル等の弾力性が高い合成樹脂で形成されており、自由に撓ませることができる可撓性を有している。
【００２２】
フック部１３は、シート本体１２の前面から前方に所定距離（６ｍｍ）突出する前方突出部１３ａと、前方突出部１３ａの先端から上方に所定距離（２０ｍｍ）突出する上方突出部１３ｂと、上方突出部１３ｂの根元に形成された誤脱落防止ピン（ストッパ）１３ｃとを有する。そして、１２個のフック部１３は、シート本体１２の前面に上下方向に所定間隔（６０ｍｍ）を空けて形成されており、上から順に第１フック部１３、第２フック部１３、・・・が形成されている。これにより、各フック部１３をｎ個（例えば３個）の袋体の引掛け孔に挿通させることで、ｎ個の商品が着脱自在つまり取外し自在に吊下げられる。
【００２３】
また、誤脱落防止ピン１３ｃがフックの根元に形成されているため、真上方向のみの力が商品に加えられた場合、誤脱落防止ピン１３ｃに引掛かり、意図せぬ消費者等の接触による商品の落下や、商品の取外しによる他の商品の落下が防止される。一方、商品を手前に引っ張ってから上に上げる動作の場合には、商品は誤脱落防止ピン１３ｃに引掛からない。
【００２４】
図３はスリット部１５の拡大図であって、図３（ａ）は正面図、図３（ｂ）は側面図、図３（ｃ）は図３（ｂ）に示すＢ部分の拡大図である。
スリット部１５は、シート本体１２の後面から後方に突出する側方視で半円柱状の突出部１５ａと、シート本体１２の前面から突出部１５ａに向かう切込み１５ｂ（例えば幅（左右方向）が１９ｍｍ程度、長さ（上下方向）が０．５ｍｍ程度、厚み（前後方向）が２．５ｍｍ程度）とを有する。なお、切込み１５ｂが形成されたシート本体１２の前面の角は、側方視で曲面（Ｒ）となるように形成されている。
これにより、左右方向（Ｙ方向）を回転軸として、シート本体１２のスリット部１５より上部の後面と、シート本体１２のスリット部１５より下部の後面とが合わさるように、スリット部１５で２つ折りにすることが可能となっている。
【００２５】
また、シート本体１２の上部と、突出部１５ａおよびシート本体１２の下部との間の最短距離（例えば０．３ｍｍ程度）で分離するように、手で切り離すことが可能となっている（図４参照）。このとき、スリット部１５で２つに切り離した際に、切断面は後ろに位置するとともに、バリが出にくくなっている。
【００２６】
そして、第１スリット部１５は、第６フック部１３と第７フック部１３との間に形成され、第２スリット部１５は、第８フック部１３と第９フック部１３との間に形成され、第３スリット部１５は、第１０フック部１３と第１１フック部１３との間に形成されている。これにより、販売店等のスペース上の都合で、１０種類の商品を陳列したいときには、第３スリット部１５で切り離し、８種類の商品を陳列したいときには、第２スリット部１５で切り離し、６種類の商品を陳列したいときには、第１スリット部１５で切り離すことができる。
【００２７】
また、第１前後連結孔１６は、第１フック部１３の上に形成され、第２前後連結孔１６は、第６フック部１３の上に形成され、第３前後連結孔１６は、第７フック部１３の上に形成され、第４前後連結孔１６は、第１２フック部１３の上に形成されている。
【００２８】
係合部１４は、シート本体１２の前面から前方に所定距離（８ｍｍ）突出するＹＺ平面と平行な四角形のＰＯＰ貼面（突出前面）１４ａと、ＰＯＰ貼面１４ａの上部の左右方向の中央部から後方に所定距離（８ｍｍ）となる位置に形成されたＹＺ平面と平行な係合面１４ｂとを有する。
そして、係合面１４ｂの中央部には、円形状の孔１４ｃが形成されている。これにより、孔１４ｃにＳ字フックやヒモ等が挿通されることで、販売店の壁面の支持部材等に吊下げられるようになっている。
【００２９】
また、ＰＯＰ貼面１４ａの下部には、ガイドリブ（凸部）１４ｄが水平方向（Ｙ方向）に形成されており、ＰＯＰ貼面１４ａの後面の中央部には、Ｓ字フック等が収納されるための仮止爪１４ｅが形成されている。これにより、ＰＯＰ貼面１４ａには、ＰＯＰカード等が貼り付けられることで、消費者等は、吊下げられる商品の名称やシンボルや説明等を理解することができる。このとき、孔１４ｃに挿通されたＳ字フック等がＰＯＰカード等に干渉せず、ＰＯＰカード等はガイドリブ１４ｄによって位置合わせされるので、ＰＯＰ貼面１４ａにＰＯＰカード等を綺麗に貼ることができる。
【００３０】
ここで、陳列用吊具１の使用方法の一例について説明する。
（１）輸送時
製造業者等は、シート本体１２の第１スリット部１５より上部の後面と、第１スリット部１５より下部の後面とが合わさるように、第１スリット部１５で左右方向を回転軸として２つ折りにする。また、別部材となるＳ字フック等を仮止爪１４ｅに収納する。そして、箱等を使用して梱包や輸送を行う。
【００３１】
（２）販売時
（２−１）１列で８種類の商品を陳列するとき
販売業者等は、第２スリット部１５において、シート本体１２の上部と、突出部１５ａおよびシート本体１２の下部との間の最短距離で分離するように、手で切り離す。次に、販売業者等は、孔１４ｃにＳ字フック等を挿通することで、販売店の壁面の支持部材等に吊下げて、各フック部１３にｎ個の商品を引掛けて吊下げることにより、合計８種類×ｎ個の商品を陳列する。このとき、販売業者等が第２スリット部１５を手で切り離しても、切断面は後ろに位置し、かつ、バリが出にくくなっているため、消費者が購入時に陳列用吊具１で怪我をすることはない。また、販売業者等は、ＰＯＰ貼面１４ａにＰＯＰカード等を貼り付ける。
【００３２】
（２−２）２列で１２種類の商品を陳列するとき
販売業者等は、第１スリット部１５において、シート本体１２の上部と、突出部１５ａおよびシート本体１２の下部との間の最短距離で分離するように、手で切り離す。次に、販売業者等は、シート本体１２の第１スリット部１５より上部の後面と、第１スリット部１５より下部の後面とが合わさるようにして、第１前後連結孔１６と第３前後連結孔１６とをホック鋲等で連結し、第２前後連結孔１６と第４前後連結孔１６とをホック鋲等で連結する。次に、販売業者等は、孔１４ｃにＳ字フック等を挿通することで、販売店の壁面の支持部材等に吊下げて、各フック部１３にｎ個の商品を引掛けて吊下げることにより、合計１２種類×ｎ個の商品を陳列する。
【００３３】
以上のように、本考案の陳列用吊具１によれば、１２個（Ｎ個）のフック部１３を有するような長尺のものとしても、スリット部１５が形成されているため、輸送時にシート本体１２を２つ折りにすることができる。また、１２種類よりも少ない種類の商品を陳列するときには、スリット部１５で２つに切り離すことができ、販売店等の設置スペースの都合に対応することができる。
【００３４】
＜変形実施例＞
（１）上述した陳列用吊具１では、３個のスリット部１５を有する構成を示したが、１個のスリット部を有したり、４個のスリット部を有したりするような構成としてもよい。
【００３５】
（２）上述した陳列用吊具１では、フック部１３は、ｎ個の商品を引掛けて吊下げることが可能な前方突出部１３ａと上方突出部１３ｂと誤脱落防止ピン１３ｃとを有する構成を示したが、１個の商品を引掛けて吊下げることが可能な逆Ｕ字形状のスリットを有するような構成としてもよい。
【産業上の利用可能性】
【００３６】
本考案は、複数の商品を吊下げて陳列するための陳列用吊具等に好適に利用することができる。
【符号の説明】
【００３７】
１  陳列用吊具
１２  シート本体
１３  フック部（吊下部）
１４  係合部
１５  スリット部
【図１】
0003206306.tif 000003
【図２】
0003206306.tif 000004
【図３】
0003206306.tif 000005
【図４】
0003206306.tif 000006
【図５】
0003206306.tif 000007
【図６】
0003206306.tif 000008